(57)【特許請求の範囲】
【請求項１】
バックボード上のソケットに対して垂直に挿抜される第１のコネクタを備えたプリント基板を抜去するために、前記プリント基板を支持するための枠体に設置されるイジェクタであって、
前記プリント基板に設置された第２のコネクタにコネクタケーブルが接続されている状態において操作がなされると変形し、前記第１のコネクタを前記ソケットから抜き取る方向の力を前記プリント基板に作用させないことを特徴とするイジェクタ。
【請求項２】
操作力を加えるための操作部と前記第１のコネクタを前記ソケットから抜き取る方向の力を前記プリント基板に作用させるための作用部とが支点を備えて回動可能に連結され、該支点を枢軸として折れ曲がることによって変形することを特徴とする請求項１記載のイジェクタ。
【請求項３】
前記プリント基板の面の法線方向を軸方向として回動可能となるように、前記作用部が前記枠体に対して取り付けられたことを特徴とする請求項１記載のイジェクタ。
【請求項４】
前記操作部と前記作用部とが常態では伸長状態となるように付勢する付勢部材を有することを特徴とする請求項３記載のイジェクタ。
【請求項５】
前記付勢部材の付勢力は、前記第２のコネクタにコネクタケーブルが差し込まれていない状態で第１のコネクタを前記ソケットに抜き差しする際の抵抗力よりも強く、前記第２のコネクタに前記コネクタケーブルが差し込まれている状態で前記第１のコネクタを前記ソケットから抜き取る際の抵抗力よりも弱く設定されていることを特徴とする請求項４記載のイジェクタ。
【請求項６】
請求項１から５のいずれか１項記載のイジェクタが、前記プリント基板を支持するための枠体に設置されたことを特徴とするイジェクト構造。
【請求項７】
請求項６記載のイジェクト構造と、前記バックボードとを有することを特徴とする電子機器。
【発明の詳細な説明】
【技術分野】
【０００１】
本発明は、バックボードに対して垂直にプリント基板を接続する電子機器において、プリント基板を抜き取る際にプリント基板上に実装されたコネクタの破損を防止したイジェクタ及びこれを備えたイジェクト構造並びに電子機器に関する。
【背景技術】
【０００２】
図４に示すような、ケーブルコネクタ２３を挿抜方向と垂直に差すカード２１（プリント基板）は、カード支持ゲージ２４からカード２１を取り外す際には、バックボード２７からカード２１を引き抜くのに先だって、コネクタガイド２５によって案内されているケーブルコネクタ２３を抜き去らなければならない。
【０００３】
ケーブルコネクタ２３を抜き去らないままカード２１を引っ張ると、コネクタ２６を破損させてしまい、カード２１が使用できなくなってしまう可能性があるためである。
【０００４】
しかし、実際にはケーブルコネクタを抜き去ることが忘れられてしまうこともある。
【０００５】
このため、ケーブルコネクタを抜き去り忘れたとしてもコネクタが破損しないようにすることが求められている。
【０００６】
ケーブルコネクタの抜き忘れによるコネクタの破損を防止することに関連する技術として、特許文献１に開示される「光ファイバの保護機構」がある。
特許文献１に開示される発明は、光ケーブルを外さない限りパッケージをシェルフから引き抜けないようにした構造である。
【特許文献１】実開平１−１１８４８９号公報
【発明の開示】
【発明が解決しようとする課題】
【０００７】
しかし、特許文献１に開示される発明の構造では、コネクタとイジェクタとが近接していなければならない。また、パッケージの周縁部近傍にしかコネクタを設けることができない。すなわち、カードにおけるコネクタの設置位置に制約を伴うこととなり、カードへの電子部品の最適実装を実現する上で好ましくない。
【０００８】
このように、プリント基板上のコネクタの配置位置に制約を伴うことなく、ケーブルコネクタの抜き忘れによるコネクタの破損を防止するイジェクタ、及びこれを備えたイジェクト構造並びに電子機器は実現されていなかった。
【０００９】
本発明は係る問題に鑑みてなされたものであり、プリント基板上のコネクタの配置位置に制約を伴うことなく、ケーブルコネクタの抜き忘れによるコネクタの破損を防止するイジェクタ、及びこれを備えたイジェクト構造並びに電子機器を提供することを目的とする。
【課題を解決するための手段】
【００１０】
上記目的を達成するため、本発明は、第１の態様として、バックボード上のソケットに対して垂直に挿抜される第１のコネクタを備えたプリント基板を抜去するために、プリント基板を支持するための枠体に設置されるイジェクタであって、プリント基板に設置された第２のコネクタにコネクタケーブルが接続されている状態において操作がなされると変形し、第１のコネクタをソケットから抜き取る方向の力をプリント基板に作用させないことを特徴とするイジェクタを提供するものである。
【００１１】
また、上記目的を達成するため、本発明は、第２の態様として、上記本発明の第１の態様に係るイジェクタが、プリント基板を支持するための枠体に設置されたことを特徴とするイジェクト構造を提供するものである。
【００１２】
また、上記目的を達成するため、本発明は、第３の態様として、上記本発明の第２の態様に係るイジェクト構造と、バックボードとを有することを特徴とする電子機器を提供するものである。
【発明の効果】
【００１３】
本発明によればプリント基板上のコネクタの配置位置に制約を伴うことなく、ケーブルコネクタの抜き忘れによるコネクタの破損を防止するイジェクタ、及びこれを備えたイジェクト構造並びに電子機器を提供できる。
【発明を実施するための最良の形態】
【００１４】
図１に、本発明の好適な実施の形態に係る電子機器の構成を示す。図に示すように、この電子機器は、カード１の挿抜方向とケーブルコネクタ３の挿抜方向とが垂直になっており、コネクタガイド５によって案内されたケーブルコネクタ３をコネクタ２から抜き忘れてカード１をカード支持ケージ４から取り出そうとするとコネクタ２が破損してしまう。
【００１５】
図２に、本実施形態に係る電子機器が備えるイジェクタの構造を示す。イジェクタ８は、操作部１１と作用部１２とが支持点１０を枢軸として回動可能に配置されている。また、イジェクタ８にはバネ９が設けられており、常態では操作部１１と作用部１２とが略Ｌ字形状を呈するように付勢している。
【００１６】
図３に示すように、バネ９の付勢力を上回る力を負荷することによって、イジェクタ８は支持点１０を枢軸として折れ曲がり、略Ｖ字形状を呈する。イジェクタ８に負荷する力を開放すると、バネ９の付勢力によってイジェクタ８は再び略Ｌ字形状を呈する状態となる。
【００１７】
イジェクタ８は、作用部１２に設けられた軸１３を支点として回動可能にカード支持ケージ４に固定される。
【００１８】
バネ９の付勢力は、コネクタケーブル３が差し込まれていない状態でコネクタ６をバックボード７へ抜き差しする際の抵抗力よりも強く、ケーブルコネクタ３が差し込まれている状態でコネクタ６ａをバックボード７上のソケット６ｂから抜き取る際の抵抗力よりも弱く設定されている。
【００１９】
イジェクト時の動作について説明する。
コネクタケーブル３がコネクタ２から抜き去られている場合、操作部１１に軸１３の周方向の力を加えると、軸１３を支点としてイジェクタ８が回転し、作用部１２の先端がカード１に当接する。コネクタケーブル２がコネクタ２から抜き去られている状態では、コネクタ６ａをソケット６ｂから抜き取る際の抵抗力は、バネ９の付勢力よりも弱いため、イジェクタ８は略Ｌ字形状を保ったまま軸１３を支点として回転し、てこの原理によって作用部１２がカード１に抜き取り方向の力を作用させる。これにより、カード１はカード支持ケージ４から取り外される。
【００２０】
一方、コネクタケーブル３がコネクタ２に差し込まれている状態では、コネクタ６ａをソケット６ｂから抜き取る際の抵抗力よりも強いため、イジェクタ８は、支持点１０を支点として略Ｖ字形状に折れ曲がり、カード１には抜き取られない。
【００２１】
このように、本実施形態に係る電子機器は、ケーブルコネクタを抜き忘れたままカードを引き抜こうとしても、カードは抜き取られないため、カードに設けられたコネクタが破壊されてしまうことはない。
【００２２】
なお、上記実施形態は本発明の好適な実施の一例であり、本発明はこれに限定されることはない。
例えば、上記実施形態においては、トーションバネを用いた構成を例としたが、イジェクタを常態では伸長状態とし、所定の力よりも強い力が加わった場合にイジェクタを変形させることができればこの構成に限定されることはない。
このように、本発明は様々な変形が可能である。
【図面の簡単な説明】
【００２３】
【図１】本発明の好適な実施の形態に係る電子機器の構成を示す図である。
【図２】本発明の好適な実施の形態に係るイジェクタの構成を示す図である。
【図３】外力によってイジェクタが変形した状態を示す図である。
【図４】本発明と関連する電子機器の構成を示す図である。
【符号の説明】
【００２４】
１    カード
２、６ａ    コネクタ
３    コネクタケーブル
４    カード支持ケージ
５    コネクタガイド
６ｂ    ソケット
７    バックボード
８    イジェクタ
９    バネ
１０    支持点
１１    操作部
１２    作用部
１３    軸
【図１】
0005125541.tif 000002
【図２】
0005125541.tif 000003
【図３】
0005125541.tif 000004
【図４】
0005125541.tif 000005